(57)【要約】【課題】多気筒エンジンのシリンダブロック１のウォータジャケット７内にウォータジャケットスペーサ１１を収容する場合に、該エンジンの燃焼室の冷却性能の確保と保温性能の確保との両立を図る。【解決手段】ウォータジャケットスペーサ１１の周壁部１２において、隣り合うシリンダボア間に対応する位置に、周壁部１２の内側に位置する内側流路７ｂと周壁部１２の外側に位置する外側流路７ｃとを連通する連通孔１９が形成され、周壁部１２の内側流路７ｂ側の面における、連通孔１９の反シリンダヘッド３５側の部分に、外側流路７ｃから連通孔１９を通って内側流路７ｂに流入した冷却液の少なくとも一部を、シリンダヘッド３５側へ流れ易くするための、内側流路７ｂに突出した突出部２０が設けられている。【選択図】図１１
2019073991.tif 000002
【特許請求の範囲】
【請求項１】
複数のシリンダボアと該複数のシリンダボアの周囲を囲むウォータジャケットとが設けられ、シリンダボア軸方向の一側の面にシリンダヘッドが取り付けられるシリンダブロックと、該シリンダブロックのウォータジャケット内に収容され、上記複数のシリンダボアの周囲を囲む周壁部を有するウォータジャケットスペーサとを備えた多気筒エンジンの冷却構造であって、
上記ウォータジャケットスペーサは、上記周壁部によって、上記ウォータジャケット内に、該周壁部の内側に位置する内側流路と、該周壁部の外側に位置する外側流路とが形成されるように構成され、
上記シリンダブロックには、上記外側流路に連通する、該外側流路への冷却液入口が設けられ、
上記周壁部には、隣り合うシリンダボア間に対応する位置に、上記内側流路と上記外側流路とを連通する連通孔が形成されており、
上記周壁部の内側流路側の面における、上記連通孔の反シリンダヘッド側の部分に、上記外側流路から該連通孔を通って上記内側流路に流入した冷却液の少なくとも一部を、シリンダヘッド側へ流れ易くするための、内側流路に突出した突出部が設けられていることを特徴とする多気筒エンジンの冷却構造。
【請求項２】
請求項１記載の多気筒エンジンの冷却構造において、
上記連通孔は、上記周壁部におけるシリンダヘッド側の端部近傍に形成されており、
上記突出部は、該突出部のシリンダヘッド側の面が、上記連通孔の内周面における反シリンダヘッド側の部分に連続するように形成されていることを特徴とする多気筒エンジンの冷却構造。
【請求項３】
請求項１又は２記載の多気筒エンジンの冷却構造において、
上記突出部のシリンダヘッド側の面が、突出先端側ほどシリンダヘッド側に位置するように傾斜していることを特徴とする多気筒エンジンの冷却構造。
【請求項４】
請求項１〜３のいずれか１項に記載の多気筒エンジンの冷却構造において、
上記ウォータジャケットスペーサは、樹脂製であり、
上記突出部における少なくとも突出先端側の部分が、上記ウォータジャケットスペーサの成形時のゲートのカットにより残ったゲート残り部により形成されていることを特徴とする多気筒エンジンの冷却構造。
【請求項５】
請求項１〜４のいずれか１項に記載の多気筒エンジンの冷却構造において、
上記ウォータジャケットの内側の側壁面は、隣り合うシリンダボア間のシリンダヘッド側の部分に、その反シリンダヘッド側の部分よりも壁内側に凹んだ追い込み部を有し、
上記突出部は、該突出部の先端部が上記追い込み部に入り込むように、上記周壁部の内側流路側の面に設けられていることを特徴とする多気筒エンジンの冷却構造。
【発明の詳細な説明】
【技術分野】
【０００１】
本発明は、多気筒エンジンの冷却構造に関する技術分野に属する。
【背景技術】
【０００２】
従来より、多気筒エンジンの冷却構造として、シリンダブロックに複数のシリンダボア（複数のシリンダボア壁）の周囲を囲むようにウォータジャケットを形成し、このウォータジャケットにウォータポンプから圧送された冷却液を導入してエンジンを冷却する構造が知られている。
【０００３】
また、冷却性能の向上等を目的として、例えば特許文献１に開示されるように、上記ウォータジャケット内に、該ウォータジャケットの内部空間を区画するウォータジャケットスペーサを収容することが知られている。この特許文献１のウォータジャケットスペーサには、隣り合うシリンダボア間に対応する位置において、ウォータジャケットにおけるウォータジャケットスペーサの外側部分と内側部分とを連通する複数の導入孔が形成されている。そして、ウォータポンプから圧送された冷却液は、まず、ウォータジャケットの上記外側部分に流入し、その冷却液の一部が、上記導入孔を通過することで上記内側部分に流入するようになっている。このような構成により、高温となり易い、シリンダブロック（シリンダボア壁）のシリンダボア間の部分を効果的に冷却するようにしている。
【先行技術文献】
【特許文献】
【０００４】
【特許文献１】特開２０１５−２２４６２７号公報
【発明の概要】
【発明が解決しようとする課題】
【０００５】
ところで、ディーゼルエンジンを初めとする圧縮着火式エンジンでは、安定して燃料を圧縮着火させるための環境を確保するため、つまり、エンジンの燃焼室の温度を圧縮着火可能な温度に維持するために、燃焼室を保温する必要がある。一方、エンジンの、特に高負荷運転時には、燃焼室の冷却が必要となる。
【０００６】
そこで、上記特許文献１のように、ウォータジャケットスペーサによって、ウォータジャケット内に、ウォータジャケットスペーサの内側に位置する内側流路と、ウォータジャケットスペーサの外側に位置する外側流路とを形成するとともに、ウォータジャケットスペーサに、上記内側流路と上記外側流路とを連通する連通孔を形成することが考えられる。そして、ウォータポンプから圧送された冷却液を外側流路に流入させ、その冷却液の一部を、上記導入孔を通過することで内側流路に流入させる。この場合、上記内側流路内では、新鮮な冷却液が内側流路全体に広がらないようにして燃焼室を保温しながら、連通孔を通過する新鮮な冷却液により、シリンダボア壁のシリンダボア間付近を冷却するようにすることが考えられる。
【０００７】
しかし、ウォータジャケットスペーサに単に連通孔を形成するだけでは、該連通孔を通過した冷却液の流れが安定せず、その流れによっては、新鮮な冷却液が内側流路全体に広がって、燃焼室の保温性能の確保が困難になる。
【０００８】
本発明は、斯かる点に鑑みてなされたものであり、その目的とするところは、燃焼室の冷却性能の確保と保温性能の確保との両立を図ることが可能な、多気筒エンジンの冷却構造を提供することにある。
【課題を解決するための手段】
【０００９】
上記の目的を達成するために、本発明では、複数のシリンダボアと該複数のシリンダボアの周囲を囲むウォータジャケットとが設けられ、シリンダボア軸方向の一側の面にシリンダヘッドが取り付けられるシリンダブロックと、該シリンダブロックのウォータジャケット内に収容され、上記複数のシリンダボアの周囲を囲む周壁部を有するウォータジャケットスペーサとを備えた多気筒エンジンの冷却構造を対象として、上記ウォータジャケットスペーサは、上記周壁部によって、上記ウォータジャケット内に、該周壁部の内側に位置する内側流路と、該周壁部の外側に位置する外側流路とが形成されるように構成され、上記シリンダブロックの外面には、上記外側流路に連通する、該外側流路への冷却液入口が設けられ、上記周壁部には、隣り合うシリンダボア間に対応する位置に、上記内側流路と上記外側流路とを連通する連通孔が形成されており、上記周壁部の内側流路側の面における、上記連通孔の反シリンダヘッド側の部分に、上記外側流路から該連通孔を通って上記内側流路に流入した冷却液の少なくとも一部を、シリンダヘッド側へ流れ易くするための、内側流路に突出した突出部が設けられている、という構成とした。
【００１０】
上記の構成により、冷却液が冷却液入口から外側流路に流入し、その冷却液の一部が連通孔を通って内側流路に流入する。その内側流路に流入した冷却液は、突出部のシリンダヘッド側の面に沿って、シリンダボア壁の隣り合うシリンダボア間の部分（くびれ部）に向かって流れ易くなり、シリンダボア壁のくびれ部に当たり易くなる。しかも、連通孔を通って内側流路に流入した冷却液の少なくとも一部は、突出部によってシリンダヘッド側へ流れ易くされているので、シリンダボア壁のくびれ部に当たった後は、基本的に、シリンダヘッド側へと流れることになり、そのシリンダヘッド側へ流れる冷却液により、シリンダボア壁のくびれ部のうち、特に高温となる、シリンダヘッド側の部分を冷却することができるようになる。
【００１１】
また、連通孔を通って内側流路に流入した冷却液のうち、反シリンダヘッド側へ流れる冷却液の量が、突出部によって少なくなることから、内側流路内においては、突出部よりも反シリンダヘッド側で、新鮮な冷却液が流れ難く、冷却液が淀んだ状態となっている。この結果、多気筒エンジンの燃焼室の保温性能を確保することができる。
【００１２】
したがって、シリンダボア壁のくびれ部のシリンダヘッド側の部分を効果的に冷却して多気筒エンジンの燃焼室の冷却性能を確保することができるとともに、内側流路の冷却液により燃焼室の保温性能を確保することができる。
【００１３】
上記多気筒エンジンの冷却構造において、上記連通孔は、上記周壁部におけるシリンダヘッド側の端部近傍に形成されており、上記突出部は、該突出部のシリンダヘッド側の面が、上記連通孔の内周面における反シリンダヘッド側の部分に連続するように形成されている、ことが好ましい。
【００１４】
このことにより、突出部のシリンダヘッド側の面が、連通孔の内周面における反シリンダヘッド側の部分に連続していることで、連通孔を通って内側流路に流入した冷却液が、シリンダボア壁のくびれ部に向かってより一層流れ易くなる。また、連通孔が周壁部におけるシリンダヘッド側の端部近傍に形成されているので、シリンダボア壁のくびれ部のうち、特に高温となる、シリンダヘッド側の端部及びその近傍を効果的に冷却することができるようになる。また、内側流路におけるシリンダヘッド側の端部を除く部分には、冷却液を淀んだ状態で溜めておくことができ、この結果、多気筒エンジンの燃焼室の保温性能をより一層確保し易くなる。
【００１５】
上記多気筒エンジンの冷却構造において、上記突出部のシリンダヘッド側の面が、突出先端側ほどシリンダヘッド側に位置するように傾斜している、ことが好ましい。
【００１６】
このことで、連通孔を通って内側流路に流入した冷却液が、突出部によって、シリンダヘッド側へより一層流れ易くなる。よって、多気筒エンジンの燃焼室の冷却性能の確保と保温性能の確保との両立をより一層図り易くなる。
【００１７】
上記多気筒エンジンの冷却構造において、上記ウォータジャケットスペーサは、樹脂製であり、上記突出部における少なくとも突出先端側の部分が、上記ウォータジャケットスペーサの成形時のゲートのカットにより残ったゲート残り部により形成されている、ことが好ましい。
【００１８】
このことにより、突出部をゲートとは別個に形成する場合に比べて、突出部を容易にかつ効率良く形成することができるとともに、ゲート残り量を小さくする必要がなくなる。よって、ウォータジャケットスペーサを容易に製造することができる。
【００１９】
上記多気筒エンジンの冷却構造の一実施形態において、上記ウォータジャケットの内側の側壁面は、隣り合うシリンダボア間のシリンダヘッド側の部分に、その反シリンダヘッド側の部分よりも壁内側に凹んだ追い込み部を有し、上記突出部は、該突出部の先端部が上記追い込み部に入り込むように、上記周壁部の内側流路側の面に設けられている。
【００２０】
すなわち、ウォータジャケットの内側の側壁面（シリンダボア壁の外側側面）が追い込み部を有していない場合には、隣り合うシリンダボア間に対応する位置において、ウォータジャケットスペーサの周壁部における突出部よりも反シリンダヘッド側の部分とウォータジャケットの内側の側壁面との間の隙間が、突出部の突出量の分だけ大きくなる。これに対して、ウォータジャケットの内側の側壁面が追い込み部を有している場合には、ウォータジャケットスペーサの周壁部における突出部よりも反シリンダヘッド側の部分とウォータジャケットの内側の側壁面における追い込み部よりも反シリンダヘッド側の部分との間の隙間を、突出部の突出量に関係なく小さくすることができる。したがって、内側流路内の冷却液の量が無駄に多くなるのを抑制することができる。
【００２１】
また、突出部の突出量の誤差が大きくても、突出部がウォータジャケットの内側の側壁面に干渉しないようにすることができ、この結果、ウォータジャケットスペーサを容易に製造することができる。
【発明の効果】
【００２２】
以上説明したように、本発明の多気筒エンジンの冷却構造によると、多気筒エンジンのシリンダブロックのウォータジャケット内に収容されたウォータジャケットスペーサの周壁部において、隣り合うシリンダボア間に対応する位置に、周壁部の内側に位置する内側流路と周壁部の外側に位置する外側流路とを連通する連通孔が形成され、上記周壁部の内側流路側の面における、連通孔の反シリンダヘッド側の部分に、外側流路から該連通孔を通って内側流路に流入した冷却液の少なくとも一部を、シリンダヘッド側へ流れ易くするための、内側流路に突出した突出部が設けられていることにより、多気筒エンジンの燃焼室の冷却性能の確保と保温性能の確保との両立を図ることができるようになる。
【図面の簡単な説明】
【００２３】
【図１】本発明の実施形態に係る冷却構造が適用された多気筒エンジンのシリンダブロックを、ブロックウォータジャケットにウォータジャケットスペーサを収容した状態で示す斜視図である。
【図２】図１の、ブロックウォータジャケットにウォータジャケットスペーサが収容されたシリンダブロックの平面図である。
【図３】図２のIII−III線に沿って切断した断面斜視図である。
【図４】ウォータジャケットスペーサを示す斜視図である。
【図５】ウォータジャケットスペーサを反変速機側から見た図である。
【図６】ウォータジャケットスペーサを排気側から見た図である。
【図７】ウォータジャケットスペーサを変速機側から見た図である。
【図８】ウォータジャケットスペーサを吸気側から見た図である。
【図９】シリンダボア壁のくびれ部及びブロックウォータジャケットの内側湾曲部を拡大して示す拡大平面図である。
【図１０】図２のＸ−Ｘ線断面図である。
【図１１】図１０のXI部分を拡大して示す拡大断面図である。
【図１２】ゲート（ブリッジ）をカットする前のウォータジャケットスペーサを示す斜視図である。
【図１３】変形例に係る図９相当図である。
【図１４】変形例に係る図１１相当図（図１３のXIV−XIV線断面図）である。
【発明を実施するための形態】
【００２４】
以下、本発明の実施形態を図面に基づいて詳細に説明する。
【００２５】
図１及び図２は、本発明の実施形態に係る冷却構造が適用された多気筒エンジン（以下、単にエンジンという）のシリンダブロック１を示す。本実施形態では、上記エンジンは、直列４気筒のディーゼルエンジンであり、シリンダブロック１には、一列に並ぶ４つのシリンダボア２と、各シリンダボア２の周囲を囲む筒状のシリンダボア壁２ａとが設けられている。任意の隣り合うシリンダボア壁２ａ同士は一体的に連結されていて、シリンダブロック１は、サイアミーズ型のシリンダブロックと呼ばれる。シリンダボア壁２ａにおける隣り合うシリンダボア２間の部分は、くびれている。
【００２６】
本実施形態では、上記エンジンは、車両前部のエンジンルーム内に、気筒列方向が車幅方向となりかつシリンダボア軸方向が上下方向となるように搭載される。図１の手前側及び図２の下側が、エンジンに対して吸気が導入される吸気側であり、図１の奥側及び図２の上側が、エンジンから排気が排出される排気側である。また、シリンダブロック１の車両左側（図２の右側）の端面には、変速機（図示せず）が取り付けられる。以下の説明では、上記エンジンが上記車両に搭載された状態にあるものとする。
【００２７】
本実施形態では、シリンダブロック１の吸気側の面における変速機側の部分に、寒冷地で使用されるブロックヒータ（図示せず）が乗員によって差し込まれるヒータ差し込み孔３が設けられている。
【００２８】
シリンダブロック１の上面（シリンダブロック１におけるシリンダボア軸方向の一側の面）には、ガスケット３６を介してシリンダヘッド３５が取り付けられる（図１０参照）。シリンダブロック１の上面には、シリンダヘッド３５をシリンダブロック１に取付固定するためのボルト（図示せず）が螺号する８つのねじ穴４が形成されている。
【００２９】
シリンダブロック１には、４つのシリンダボア２（４つのシリンダボア壁２ａ）の周囲を囲むブロックウォータジャケット７が設けられている。このブロックウォータジャケット７は、シリンダブロック１の上面に開口するように溝状に形成されている。この開口は、シリンダブロック１の上面にシリンダヘッド３５がガスケット３６を介して取り付けられたときに、該ガスケット３６により閉塞される。
【００３０】
ブロックウォータジャケット７の内側の側壁は、シリンダボア壁２ａで構成される。ブロックウォータジャケット７の内側の側壁面は、シリンダボア壁２ａの外側側面となる。ブロックウォータジャケット７は、シリンダボア壁２ａにおける隣り合うシリンダボア２間の吸気側及び排気側の部分に対応して、４つのシリンダボア２の中心線を全て含む仮想の中央平面に近づくように内側に湾曲している。以下、シリンダボア壁２ａにおける隣り合うシリンダボア２間の吸気側及び排気側の部分それぞれを、くびれ部２ｂという。本実施形態では、シリンダボア壁２ａに６つのくびれ部２ｂが設けられていることになる。
【００３１】
ブロックウォータジャケット７には、吸気側かつ反変速機側の部分に、該ブロックウォータジャケット７内に冷却液を導入するための冷却液導入部７ａが設けられている。
【００３２】
シリンダブロック１の吸気側の側面における反変速機側の部分には、ブロックウォータジャケット７に冷却液（エンジン冷却水）を流入させるための冷却液入口８が設けられている。この冷却液入口８は、シリンダブロック１の吸気側の側壁部に設けられた断面矩形状の連通路９（図３参照）を介して、冷却液導入部７ａと連通している。これにより、冷却液入口８は、ブロックウォータジャケット７（詳細には、後述の外側流路７ｃ）に連通していることになる。冷却液入口８は、不図示のウォータポンプの吐出口と接続される。これにより、ウォータポンプの吐出口から吐出された冷却液が、冷却液入口８及び連通路９を介して冷却液導入部７ａに導入され、冷却液導入部７ａからブロックウォータジャケット７（詳細には、後述の外側流路７ｃ）に流入する。
【００３３】
図３に示すように、連通路９は、ブロックウォータジャケット７の外側の側壁面（詳細には、冷却液導入部７ａの側壁面）に開口している。この開口の下面は、冷却液導入部７ａの底面よりも高い高さ位置にあり、該開口の下面と冷却液導入部７ａの底面との間に段差が生じている。この段差は、シリンダブロック１を鋳造する際の連通路９用の型（冷却液入口８側に型抜きされる）とブロックウォータジャケット７用の型（上側に型抜きされる）との型抜きの関係で生じるものである。
【００３４】
図４〜図１１に示すように、ブロックウォータジャケット７内には、４つのシリンダボア２（４つのシリンダボア壁２ａ）の周囲を囲む周壁部１２を有する筒状のウォータジャケットスペーサ１１が収容されている。このウォータジャケットスペーサ１１は、樹脂製のものである。周壁部１２の高さ（シリンダボア軸方向の長さ）は、ブロックウォータジャケット７の溝深さ（シリンダボア軸方向の長さ）と略同じにされている。
【００３５】
ウォータジャケットスペーサ１１は、該ウォータジャケットスペーサ１１の周壁部１２によって、ウォータジャケット７内に、周壁部１２の内側（シリンダボア壁２ａの側）に位置する内側流路７ｂと、周壁部１２の外側（シリンダボア壁２ａとは反対側）に位置する外側流路７ｃとが形成されるように構成されている（特に図１０参照）。内側流路７ｂの幅（周壁部１２の内側の面とウォータジャケット７の内側の側壁面との間の距離）は、外側流路７ｃの幅（周壁部１２の外側の面とウォータジャケット７の外側の側壁面との間の距離）よりも小さくされている。ウォータジャケットスペーサ１１の周壁部１２は、シリンダボア壁２ａの６つのくびれ部２ｂにそれぞれ対応して、ウォータジャケット７と同様に、上記中央平面に近づくように内側に湾曲した６つの内側湾曲部１３を有している。
【００３６】
ウォータジャケットスペーサ１１の周壁部１２の下端部における冷却液導入部７ａに対応する部分には、冷却液導入部７ａの底面の上側を覆うように延びる延設部１４が設けられている。この延設部１４の上面は、連通路９の上記開口の下面と同じ高さ位置にあり、この延設部１４により上記段差をなくすようにしている。仮に上記段差を残したままにしておくと、該段差によって、連通路９から冷却液導入部７ａに導入された冷却液の流れが乱れることになるが、延設部１４により上記段差をなくすことで、冷却液の流れが乱れるのを抑制することができる。
【００３７】
冷却液導入部７ａは、平面視で、変速機側に向かって排気側に傾斜して延びている。この冷却液導入部７ａの下流端が、外側流路７ｃにおける反変速機側の部分に接続されている。このことで、冷却液入口８は、外側流路７ｃへの冷却液入口であって、外側流路７ｃにおける反変速機側の部分に連通することになる。冷却液導入部７ａの上記傾斜により、図４及び図５に示すように、冷却液導入部７ａから外側流路７ｃに流入した冷却液の大部分は、ウォータジャケットスペーサ１１の周壁部１２の反変速機側の部分における外側の面に沿って排気側に向かって流れる。残りの冷却液は、周壁部１２における吸気側の部分における外側の面に沿って変速機側に向かって流れる（図４及び図５の矢印参照）。
【００３８】
図示は省略するが、シリンダヘッド３５及びガスケット３６における反変速機側の端部には、外側流路７ｃの反変速機側の部分を流れる冷却液を、シリンダヘッド３５のヘッドウォータジャケット３５ａ（図１０参照）に流入させるための流入孔が形成されている。シリンダヘッド３５及びガスケット３６の流入孔は、外側流路７ｃの反変速機側の部分の上側に位置していて、互いに上下方向に連通した状態で、外側流路７ｃをヘッドウォータジャケット３５ａに連通させる。
【００３９】
冷却液導入部７ａから外側流路７ｃに流入した直後の冷却液であって排気側に向かって流れようとする冷却液は、上記ウォータポンプの吐出口から吐出されたばかりの冷却液であるため、その流れが強く、上側にも勢いよく流れようとする。これにより、排気側に向かって流れようとする冷却液の一部は、上記流入孔を通って、気筒列方向に延びるヘッドウォータジャケット３５ａの反変速機側の端部に流入することになる。上記流入孔に流入しなかった冷却液は、外側流路７ｃを略一周するように、外側流路７ｃにおいて、反変速機側の部分、排気側の部分、変速機側の部分、及び、吸気側の部分を順に流れる（図６〜図８の矢印参照）。すなわち、冷却液入口８より外側流路７ｃに流入して該外側流路７ｃを流れる冷却液の経路は、基本的に、該外側流路７ｃにおける反変速機側の部分から排気側の部分及び変速機側の部分を順に通って吸気側の部分に流れるような経路とされており、外側流路７ｃを流れる冷却水は、平面視で、略Ｕ字状に流れることになる。
【００４０】
ウォータジャケットスペーサ１１の周壁部１２の外側の面（外側流路７ｃ側の面）には、外側流路７ｃの下流側ほど冷却液を上側に持ち上げるための冷却液案内スロープ１５が突出形成されている。この冷却液案内スロープ１５は、周壁部１２の反変速機側の部分では、図５に示すように、上記延設部１４の基端部から排気側に延びてその途中から排気側に向かって上側に傾斜し、周壁部１２の排気側の部分では、図６に示すように、周壁部１２の反変速機側の部分における冷却液案内スロープ１５に連続するように、変速機側に向かって上側に傾斜し、周壁部１２の変速機側の部分では、図７に示すように、周壁部１２の排気側の部分における冷却液案内スロープ１５に連続するように、吸気側に向かって上側に傾斜し、周壁部１２の排気側の部分では、図８に示すように、周壁部１２の変速機側の部分における冷却液案内スロープ１５に連続するように、反変速機側に向かって上側に傾斜している。尚、周壁部１２の排気側の部分における冷却液案内スロープ１５は、反変速機側から２番目のシリンダボア２に対応する位置から反変速機側では、反変速機側に向かって下側に傾斜している。これは、冷却液導入部７ａから外側流路７ｃに流入した、変速機側に向かって流れる冷却液を上側に持ち上げるためである（図８の右側に向かう矢印参照）。
【００４１】
外側流路７ｃを略一周した冷却液及び冷却液導入部７ａから外側流路７ｃに流入しかつ変速機側に向かって流れた冷却液は、シリンダブロック１の吸気側の側壁面に設けられた冷却液出口５（図１参照）から不図示のオイルクーラへと流れるようになっている。
【００４２】
外側流路７ｃを流れる冷却液の一部は、後に詳細に説明するように、後述の６つの連通孔１９を介して内側流路７ｂへと流れて、この内側流路７ｂから後述の６つのボア間流路３１を通ってヘッドウォータジャケット３５ａに流入するようになっている。
【００４３】
上記流入孔からヘッドウォータジャケット３５ａに流入した冷却液は、ヘッドウォータジャケット３５ａ内を反変速機側から変速機側へと流れ、その途中で、ボア間流路３１を通ってヘッドウォータジャケット３５ａに流入した冷却液と合流する。こうして合流した冷却液は、シリンダヘッド３５の変速機側の端面に設けられた流出口からシリンダヘッド３５の外側へ流出する。この流出口から流出した冷却液、及び、上記オイルクーラを通過した冷却液は、ラジエータを通過した後、上記ウォータポンプの吸込み口に吸い込まれる。
【００４４】
ウォータジャケットスペーサ１１の周壁部１２の外側の面における上端部には、周壁部１２の外側に突出する（つまり外側流路７ｃに突出する）上側フランジ１６が形成されている。この上側フランジ１６は、周壁部１２の周方向において、反変速機側の部分（上記流入孔に対応する部分）を除いた略全体に形成されている。この上側フランジ１６により、外側流路７ｃを流れる冷却液が周壁部１２の上端を超えて内側流路７ｂに流れ込むのを抑制している。
【００４５】
また、図５及び図６に示すように、周壁部１２の外側の面における周方向の一部には、上側フランジ１６に対して下側に所定間隔をあけて、上側フランジ１６と略平行に周壁部１２の周方向に延びる下側フランジ１７が形成されている。この下側フランジ１７は、周壁部１２の周方向において、上記流入孔に対応する部分を除いて、外側流路７ｃの上流側に対応する部分に形成されている。すなわち、外側流路７ｃの上流側の部分では、上記のように、冷却液が上側にも勢いよく流れようとしているので、上側フランジ１６と下側フランジ１７との二重フランジにより、冷却液が周壁部１２の上端を超えて内側流路７ｂに流れ込むのを抑制するようにしている。尚、下側フランジ１７において後述の連通孔１９の真下側となる部分には、冷却液が該連通孔１９に流れるように、切込み１７ａが形成されている。
【００４６】
図４及び図８に示すように、周壁部１２の吸気側の部分における変速機側かつ下側の部分には、ヒータ差し込み孔３に差し込まれた上記ブロックヒータとの干渉を避けるための切欠き部１８が形成されている。
【００４７】
図４、図６、図８〜図１１に示すように、ウォータジャケットスペーサ１１の周壁部１２には、シリンダボア壁２ａのくびれ部２ｂに対応する位置（つまり、内側湾曲部１３）に、内側流路７ｂと外側流路７ｃとを連通する連通孔１９（本実施形態では、全部で６つの連通孔１９）が形成されている。これらの連通孔１９は、周壁部１２における上端近傍（シリンダヘッド３５側の端部近傍）に形成されている。これらの連通孔１９を介して、外側流路７ｃを流れる冷却液の一部が内側流路７ｂへと流れることになる。
【００４８】
各連通孔１９は、縦長の断面矩形状に形成されている。すなわち、各連通孔１９の上下方向の長さが、当該連通孔１９の横幅（気筒列方向の長さ）よりも大きくされている。
【００４９】
図９〜図１１に示すように、周壁部１２の内側の面（内側流路７ｂ側の面）における、各連通孔１９の下側（反シリンダヘッド３５側）の部分には、外側流路７ｃから連通孔１９を通って内側流路７ｂに流入した冷却液の少なくとも一部を、上側（シリンダヘッド３５側）へ流れ易くするための、内側流路７ｂに突出した突出部２０が設けられている。
【００５０】
本実施形態では、各突出部２０の横幅（気筒列方向の長さ）は、対応する連通孔１９の横幅よりも小さくされている。各突出部２０の突出量は、出来る限り大きい量であって、製造誤差があっても突出部２０の先端がウォータジャケット７の内側の側壁面（シリンダボア壁２ａの外側側面）に当接しない量に設定されている。このため、各突出部２０の突出先端とウォータジャケット７の内側の側壁面との間には、隙間が形成されるものの、連通孔１９を通って内側流路７ｂに流入した冷却液がその隙間から下側へは流れ難くなっている。
【００５１】
本実施形態では、各突出部２０は、該突出部２０の上側の面が、対応する連通孔１９の内周面における下側の部分と同一面であって、対応する連通孔１９の内周面における下側の部分に連続するように形成されている。
【００５２】
また、本実施形態では、各突出部２０の上側の面が、突出先端側ほど上側に位置するように傾斜した傾斜面２０ａとされている。上記のように、各突出部２０の上側の面が、対応する連通孔１９の内周面における下側の部分と同一面であるので、該部分は、各突出部２０の上側の面と同じ角度で傾斜した（内側流路７ｂ側ほど上側に位置するように傾斜した）下側傾斜面１９ａとされている。突出部２０の傾斜面２０ａ及び下側傾斜面１９ａによって、連通孔１９を通って内側流路７ｂに流入した冷却液は、上側により一層流れ易くなる。
【００５３】
さらに、本実施形態では、各連通孔１９の内周面における上側の部分が、内側流路７ｂ側ほど下側に位置するように傾斜した上側傾斜面１９ｂとされている。上側フランジ１６の下面における各連通孔１９の上側に位置する部分には、上側傾斜面１９ｂと同一面となるように傾斜した傾斜面１６ａが形成されている。
【００５４】
図１０及び図１１に示すように、シリンダボア壁２ａの各くびれ部２ｂには、外側流路７ｃから連通孔１９を通って内側流路７ｂに流入した冷却液の一部を、シリンダヘッド３５のヘッドウォータジャケット３５ａに流入させるためのボア間流路３１が設けられている。
【００５５】
各くびれ部２ｂのボア間流路３１は、上流側流路３１ａと下流側流路３１ｂとで構成され、上流側流路３１ａの下流端に下流側流路３１ｂの上流端が接続されている。上流側流路３１ａの上流端は、該上流側流路３１ａの他の部分よりも拡径されていて、ウォータジャケット７の内側の側壁面に開口している。この上流側流路３１ａにおける上記内側の側壁面の開口は、ボア間流路３１の入口３１ｃに相当する。下流側流路３１ｂの下流端は、シリンダボア壁２ａの上面に開口している。この下流側流路３１ｂにおけるシリンダブロック１上面の開口は、ボア間流路３１の出口３１ｄに相当する。
【００５６】
上流側流路３１ａ及び下流側流路３１ｂは共に、上記中央平面に向かって下側に傾斜するように延びている。上流側流路３１ａの水平に対する鋭角側の傾斜角が、下流側流路３１ｂの水平に対する鋭角側の傾斜角よりも小さくされている。上流側流路３１ａ及び下流側流路３１ｂは共に、ドリルによって形成されたものである。
【００５７】
下流側流路３１ｂの下流端（シリンダブロック１上面の開口）は、ガスケット３６に設けられた接続孔３６ａ及びシリンダヘッド３５に設けられた接続流路３５ｂを介して、シリンダヘッド３５のヘッドウォータジャケット３５ａに接続されている。
【００５８】
各突出部２０は、気筒列方向において、対応するくびれ部２ｂのボア間流路３１の入口３１ｃと同じ位置に位置している。また、各突出部２０の上側の面における突出先端での高さ位置が、対応するくびれ部２ｂのボア間流路３１の入口３１ｃの高さ位置よりも低い位置に位置している。さらに、各連通孔１９の上側傾斜面１９ｂは、対応するくびれ部２ｂのボア間流路３１の入口３１ｃを指向するように傾斜している。
【００５９】
連通孔１９を通って内側流路７ｂに流入した冷却液の一部は、突出部２０の上側の面に沿ってシリンダボア壁２ａのくびれ部２ｂに向かって流れて、シリンダボア壁２ａのくびれ部２ｂ（厳密には、シリンダボア壁２ａの外側側面におけるくびれ部２ｂの部分）に当たる。該くびれ部２ｂに当たった冷却液は、各突出部２０の突出先端とウォータジャケット７の内側の側壁面との間の隙間から下側へは流れ難くなっているので、上側へ流れ易い。したがって、シリンダボア壁２ａのくびれ部２ｂに当たった後は、基本的に、上側へと流れることになり、その上側へ流れる冷却液により、シリンダボア壁２ａのくびれ部２ｂのうち、特に高温となる、シリンダヘッド７側（上側）の端部及びその近傍を冷却する。
【００６０】
本実施形態では、各連通孔１９の上下方向の長さが、当該連通孔１９の横幅よりも大きくされていることで、シリンダボア壁２ａのくびれ部２ｂの縦方向の出来る限り広い範囲を冷却する。また、各連通孔１９の横幅を小さくすることで、冷却液の流速を出来る限り高めて、冷却液を勢いよくシリンダボア壁２ａのくびれ部２ｂに当てる。さらに、各突出部２０の横幅が、対応する連通孔１９の横幅よりも小さくされているため、連通孔１９を通って内側流路７ｂに流入した冷却液のうち、突出部２０の気筒列方向両側を流れる冷却液は、突出部２０がないために、下側に流れ易くなる。但し、上記のように、連通孔１９の内周面における下側の部分（下側傾斜面１９ａ）が、内側流路７ｂ側ほど上側に位置するように傾斜しているとともに、冷却液の流速が高いので、突出部２０の気筒列方向両側を流れる冷却液は、シリンダボア壁２ａのくびれ部２ｂにおける突出部２０と略同じ高さの部分に当たる。これにより、シリンダボア壁２ａのくびれ部２ｂの縦方向の更に広い範囲を冷却する。
【００６１】
突出部２０によって上側へ流れた冷却液の一部は、該突出部２０と気筒列方向において同じ位置に位置するボア間流路３１の入口３１ｃに流入する（シリンダヘッド３５側に吸い込まれる）。また、連通孔１９内の上側部分を流れて内側流路７ｂに流入した冷却液は、上側傾斜面１９ｂによって案内されて、該上側傾斜面１９ｂが指向する先のボア間流路３１の入口３１ｃに流入し易くなる。そして、ボア間流路３１の入口３１ｃに流入した冷却液は、上流側流路３１ａ及び下流側流路３１ｂを順に流れることで、シリンダボア壁２ａのくびれ部２ｂを壁内部から更に冷却する。その後、冷却液は、ボア間流路３１の出口３１ｄから出て、ガスケット３６の接続孔３６ａ及びシリンダヘッド３５の接続流路３５ｂを介してヘッドウォータジャケット３５ａに流入する。
【００６２】
ここで、樹脂製のウォータジャケットスペーサ１１は、射出成形により成形されたものである。このウォータジャケットスペーサ１１の成形時に、周壁部１２における吸気側の部分と排気側の部分とが互いに離間するような変形が生じ易い。
【００６３】
そこで、図１２に示すように、ウォータジャケットスペーサ１１の成形時に、周壁部１２の内側の面における、上記中央平面とは垂直な方向に相対向する２つの部分を、互いに連結する１つ又は複数のブリッジ２２を形成する。本実施形態では、３つのブリッジ２２を形成し、各ブリッジ２２は、周壁部１２の内側の面において、上記中央平面とは垂直な方向に相対向する、突出部２０が設けられる部分を互いに連結する。各ブリッジ２２は、ウォータジャケットスペーサ１１の成形時に、周壁部１２における吸気側の部分と排気側の部分とが互いに離間するような変形を抑制する。各ブリッジ２２は、ウォータジャケットスペーサ１１の成形時にゲートとして利用され、このゲートの両端部をカットすることによりブリッジ２２が取り除かれる。
【００６４】
上記ゲートのカットの際に、ゲートの一部を残した状態でカットすることで、突出部２０を形成することができる。本実施形態では、突出部２０の全体が、ウォータジャケットスペーサ１１の成形時のゲートのカットにより残ったゲート残り部により形成されている。突出部２０の全体ではなく、突出部２０における突出先端側の部分を、ゲート残り部により形成することも可能である。
【００６５】
したがって、本実施形態では、ウォータジャケットスペーサ１１の周壁部１２における上端近傍において、シリンダボア壁２ａのくびれ部２ｂに対応する位置（内側湾曲部１３）に、内側流路７ｂと外側流路７ｃとを連通する連通孔１９が形成され、ウォータジャケットスペーサ１１の周壁部１２の内側流路７ｂ側の面における、連通孔１９の下側の部分に、外側流路７ｃから連通孔１９を通って内側流路７ｂに流入した冷却液の少なくとも一部を、上側へ流れ易くするための、内側流路７ｂに突出した突出部２０が設けられているので、連通孔１９を通って内側流路７ｂに流入した冷却液を、シリンダボア壁２ａのくびれ部２ｂに当てることができるとともに、該くびれ部２ｂに当たった冷却液を、基本的に、上側へと流すことができ、その上側へ流れる冷却液により、シリンダボア壁２ａのくびれ部２ｂのうち、特に高温となる、シリンダヘッド７側の端部及びその近傍を効果的に冷却することができる。
【００６６】
また、連通孔１９を通って内側流路７ｂに流入した冷却液のうち、下側へ流れる冷却液の量が、突出部２０によって少なくなることから、内側流路７ｂ内においては、突出部２０よりも下側で、新鮮な冷却液が流れ難く、冷却液が淀んだ状態となっている。この結果、上記エンジンの燃焼室の保温性能を確保することができる。
【００６７】
したがって、シリンダボア壁２ａのくびれ部２ｂのシリンダヘッド７側の部分を効果的に冷却して上記エンジンの燃焼室の冷却性能を確保することができるとともに、内側流路７ｂの冷却液により燃焼室の保温性能を確保することができる。
【００６８】
図１３及び図１４は、上記実施形態の変形例を示す。
【００６９】
この変形例では、ウォータジャケット７の内側の側壁面（シリンダボア壁２ａの外側側面）は、くびれ部２ｂの上側（シリンダヘッド３５側）の部分に、その下側（反シリンダヘッド３５側）の部分よりも壁内側に凹んだ追い込み部２ｃを有している。そして、突出部２０は、該突出部２０の先端部が追い込み部２ｃに入り込むように、周壁部１２の内側流路７ｂ側の面に設けられている。
【００７０】
ウォータジャケット７の内側の側壁面が、上記のような追い込み部２ｃを有していない場合には、くびれ部２ｂに対応する位置において、ウォータジャケットスペーサ１１の周壁部１２における突出部２０よりも下側の部分とウォータジャケット７の内側の側壁面との間の隙間が、突出部２０の突出量の分だけ大きくなる。これに対して、ウォータジャケット７の内側の側壁面が追い込み部２ｃを有している場合には、ウォータジャケットスペーサ１１の周壁部１２における突出部２０よりも下側の部分とウォータジャケット７の内側の側壁面における追い込み部２ｃよりも下側の部分との間の隙間を、突出部２０の突出量に関係なく小さくすることができる。したがって、内側流路７ｂ内の冷却液の量が無駄に多くなるのを抑制することができる。
【００７１】
また、突出部２０の突出量の誤差が大きくても、突出部２０がウォータジャケット７の内側の側壁面に干渉しないようにすることができ、この結果、ウォータジャケットスペーサ１１を容易に製造することができる。
【００７２】
本発明は、上記実施形態に限られるものではなく、請求の範囲の主旨を逸脱しない範囲で代用が可能である。
【００７３】
例えば、上記実施形態では、各突出部２０の上側の面が、対応する連通孔１９の内周面における下側の部分に連続しているが、突出部２０の上側の面が、対応する連通孔１９の内周面における下側の部分よりも下側に位置していて、突出部２０の上側の面と連通孔１９の内周面における下側の部分との間に段差が生じてもよい。但し、連通孔１９を通って内側流路７ｂに流入した冷却液を上側へ流れ易くするためには、その段差量を出来る限り小さくする必要がある。
【００７４】
また、上記実施形態では、各突出部２０の上側の面が、突出先端側ほど上側に位置するように傾斜しているが、水平に延びていてもよい。さらに、各連通孔１９の内周面における下側の部分も、水平に延びていてもよい。但し、各突出部２０の上側の面及び各連通孔１９の内周面における下側の部分の少なくとも一方（特に各突出部２０の上側の面）は、上記実施形態のように傾斜していることが好ましい。また、各連通孔１９の内周面における上側の部分も、水平に延びていてもよい。
【００７５】
さらに、上記実施形態では、各突出部２０の横幅が、対応する連通孔１９の横幅よりも小さくされているが、対応する連通孔１９の横幅と同じか、又は大きくされていてもよい。この場合、突出部２０によって、連通孔１９を通って内側流路７ｂに流入した冷却液の略全部を、上側へ流れ易くすることができる。
【００７６】
また、上記実施形態では、エンジンを、シリンダボア軸方向が上下方向となるように車両に搭載したが、これに限るものではなく、例えば、シリンダボア軸方向が水平方向となるように車両に搭載されるエンジンの冷却構造にも、本発明を適用することができる。
【００７７】
さらにまた、上記実施形態では、多気筒のディーゼルエンジンに本発明を適用したが、多気筒の圧縮着火式エンジンであればどのようなエンジンであっても本発明を好適に適用することができる。
【００７８】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００７９】
本発明は、複数のシリンダボアと該複数のシリンダボアの周囲を囲むウォータジャケットとが設けられ、シリンダボア軸方向の一側の面にシリンダヘッドが取り付けられるシリンダブロックと、該シリンダブロックのウォータジャケット内に収容され、上記複数のシリンダボアの周囲を囲む周壁部を有するウォータジャケットスペーサとを備えた多気筒エンジンの冷却構造に有用であり、特に、該多気筒エンジンがディーゼルエンジン等の圧縮着火式エンジンである場合に有用である。
【符号の説明】
【００８０】
１      シリンダブロック
２      シリンダボア
７      ブロックウォータジャケット
７ｂ    内側流路
７ｃ    外側流路
８      冷却液入口
１１    ウォータジャケットスペーサ
１２    周壁部
１９    連通孔
２０    突出部
２０ａ  傾斜面
２２    ブリッジ（ゲート）
３５    シリンダヘッド
【図１】
2019073991.tif 000003
【図２】
2019073991.tif 000004
【図３】
2019073991.tif 000005
【図４】
2019073991.tif 000006
【図５】
2019073991.tif 000007
【図６】
2019073991.tif 000008
【図７】
2019073991.tif 000009
【図８】
2019073991.tif 000010
【図９】
2019073991.tif 000011
【図１０】
2019073991.tif 000012
【図１１】
2019073991.tif 000013
【図１２】
2019073991.tif 000014
【図１３】
2019073991.tif 000015
【図１４】
2019073991.tif 000016